(57)【要約】【課題】案内標識に対して適切な案内を実行すること。【解決手段】経路案内制御装置は、車両の進行方向における案内標識情報を取得する標識情報取得部と、設定された目的地に関する地名と、案内標識情報の地名との関連性を判断する判断部と、案内標識情報に対する車両の搭乗者の生体情報を取得する生体情報取得部と、車両の現在位置が、車両の進行方向に存在する案内標識の近傍であり、判断部が、目的地に関する地名と、案内標識情報の地名との関連性が低いと判断し、生体情報取得部が車両の搭乗者の所定の生体情報を取得した場合に、案内標識と目的地との関連性を案内する経路案内制御部と、を備える。【選択図】図１
2020118473.tif 000002
【特許請求の範囲】
【請求項１】
車両の進行方向における案内標識情報を取得する標識情報取得部と、
設定された目的地に関する地名と、前記案内標識情報の地名との関連性を判断する判断部と、
前記案内標識情報に対する前記車両の搭乗者の生体情報を取得する生体情報取得部と、
前記車両の現在位置が、前記車両の進行方向に存在する案内標識の近傍であり、前記判断部が、前記目的地に関する地名と、前記案内標識情報の地名との関連性が低いと判断し、前記生体情報取得部が前記車両の搭乗者の所定の生体情報を取得した場合に、前記案内標識と前記目的地との関連性を案内する経路案内制御部と、
を備える、経路案内制御装置。
【請求項２】
前記判断部は、前記目的地に関する地名と、前記案内標識情報の地名とに一致部分が無い場合、関連性が低いと判断する、
請求項１に記載の経路案内制御装置。
【請求項３】
前記経路案内制御部は、前記判断部において、前記目的地に関する地名と、予め設定された前記目的地までの案内経路上に存在する地名との関連性が低いと判断されたときは、前記案内経路上に存在する地名と、前記目的地との関連性を案内する、
請求項１または２に記載の経路案内制御装置。
【請求項４】
前記生体情報取得部は、前記車両の搭乗者の視線方向の情報を取得し、
前記経路案内制御部は、前記車両の搭乗者の視線が前記案内標識の方向への前記車両の搭乗者の視線を取得した場合に、前記案内標識と前記目的地との関連性を案内する、
請求項１から３のいずれか１項に記載の経路案内制御装置。
【請求項５】
前記経路案内制御部は、前記車両の現在位置が、前記車両の進行方向に存在する案内標識の下方に位置し、前記車両の搭乗者の視線が、前記案内標識の方向である上方を向いているときは、前記案内標識と前記目的地との関連性を案内する、
請求項４に記載の経路案内制御装置。
【請求項６】
車両の進行方向における案内標識情報を取得する標識情報取得ステップと、
設定された目的地に関する地名と、前記案内標識情報の地名との関連性を判断する判断ステップと、
前記案内標識情報に対する前記車両の搭乗者の生体情報を取得する生体情報取得ステップと、
前記車両の現在位置が、前記車両の進行方向に存在する案内標識の近傍であり、前記判断ステップで、前記目的地に関する地名と、前記案内標識情報の地名との関連性が低いと判断され、前記生体情報取得ステップで前記車両の搭乗者の所定の生体情報を取得した場合に、前記案内標識と前記目的地との関連性を案内する経路案内制御ステップと、
を含む、経路案内制御方法。
【請求項７】
車両の進行方向における案内標識情報を取得する標識情報取得ステップと、
設定された目的地に関する地名と、前記案内標識情報の地名との関連性を判断する判断ステップと、
前記案内標識情報に対する前記車両の搭乗者の生体情報を取得する生体情報取得ステップと、
前記車両の現在位置が、前記車両の進行方向に存在する案内標識の近傍であり、前記判断ステップで、前記目的地に関する地名と、前記案内標識情報の地名との関連性が低いと判断され、前記生体情報取得ステップで前記車両の搭乗者の所定の生体情報を取得した場合に、前記案内標識と前記目的地との関連性を案内する経路案内制御ステップと、
を経路案内制御装置として動作するコンピュータに実行させるためのプログラム。
【発明の詳細な説明】
【技術分野】
【０００１】
本発明は、経路案内制御装置、経路案内制御方法、およびプログラムに関する。
【背景技術】
【０００２】
車両を運転するユーザに対して、案内標識に提示された情報に対する案内を実行する技術が知られている。
【先行技術文献】
【特許文献】
【０００３】
【特許文献１】特開２０１０−０８５２０３号公報
【発明の概要】
【発明が解決しようとする課題】
【０００４】
案内標識に目的地に関する地名が表記されていない場合であっても、ユーザが案内標識に表記された地名と目的地の地名との位置関係を把握している場合は、ユーザはその案内標識を注視しない傾向にある。しかしながら、ユーザが案内標識に表記された地名と目的地の地名との位置関係を把握していない場合は、ユーザはその案内標識を注視する傾向にある。
【０００５】
本発明は、案内標識に対して適切な案内を実行する、経路案内制御装置、経路案内制御方法、およびプログラムを提供する。
【課題を解決するための手段】
【０００６】
本発明の経路案内制御装置は、車両の進行方向における案内標識情報を取得する標識情報取得部と、設定された目的地に関する地名と、前記案内標識情報の地名との関連性を判断する判断部と、前記案内標識情報に対する前記車両の搭乗者の生体情報を取得する生体情報取得部と、前記車両の現在位置が、前記車両の進行方向に存在する案内標識の近傍であり、前記判断部が、前記目的地に関する地名と、前記案内標識情報の地名との関連性が低いと判断し、前記生体情報取得部が前記車両の搭乗者の所定の生体情報を取得した場合に、前記案内標識と前記目的地との関連性を案内する経路案内制御部と、を備える。
【０００７】
本発明の経路案内制御方法は、車両の進行方向における案内標識情報を取得する標識情報取得ステップと、設定された目的地に関する地名と、前記案内標識情報の地名との関連性を判断する判断ステップと、前記案内標識情報に対する前記車両の搭乗者の生体情報を取得する生体情報取得ステップと、前記車両の現在位置が、前記車両の進行方向に存在する案内標識の近傍であり、前記判断ステップで、前記目的地に関する地名と、前記案内標識情報の地名との関連性が低いと判断され、前記生体情報取得ステップで前記車両の搭乗者の所定の生体情報を取得した場合に、前記案内標識と前記目的地との関連性を案内する経路案内制御ステップと、を含む。
【０００８】
本発明のプログラムは、車両の進行方向における案内標識情報を取得する標識情報取得ステップと、設定された目的地に関する地名と、前記案内標識情報の地名との関連性を判断する判断ステップと、前記案内標識情報に対する前記車両の搭乗者の生体情報を取得する生体情報取得ステップと、前記車両の現在位置が、前記車両の進行方向に存在する案内標識の近傍であり、前記判断ステップで、前記目的地に関する地名と、前記案内標識情報の地名との関連性が低いと判断され、前記生体情報取得ステップで前記車両の搭乗者の所定の生体情報を取得した場合に、前記案内標識と前記目的地との関連性を案内する経路案内制御ステップと、を経路案内制御装置として動作するコンピュータに実行させる。
【発明の効果】
【０００９】
本発明によれば、案内標識に対して適切な案内を実行することができる。
【図面の簡単な説明】
【００１０】
【図１】図１は、第一実施形態に係る経路案内装置の構成の一例を示すブロック図である。
【図２】図２は、案内標識情報を取得する方法を説明するための模式図である。
【図３】図３は、案内標識情報を取得する方法を説明するための模式図である。
【図４】図４は、目的地の地名と行先案内情報との関連度を判定する方法を説明するための模式図である。
【図５】図５は、第一実施形態に係る経路案内装置の処理の流れの一例を示すフローチャートである。
【図６】図６は、第二実施形態に係る経路案内装置の処理の流れの一例を示すフローチャートである。
【図７】図７は、第二実施形態の変形例に係る経路案内装置の処理の流れの一例を示すフローチャートである。
【図８】図８は、第三実施形態に係る経路案内装置の処理の流れの一例を示すフローチャートである。
【発明を実施するための形態】
【００１１】
以下、添付図面を参照して、本発明に係る実施形態を詳細に説明する。なお、この実施形態により本発明が限定されるものではなく、また、実施形態が複数ある場合には、各実施形態を組み合わせて構成するものも含む。
【００１２】
[第一実施形態]
図１を用いて、第一実施形態に係る経路案内装置の構成について説明する。図１は、第一実施形態に係る経路案内装置の構成を示すブロック図である。
【００１３】
経路案内装置１は、例えば、車両に搭載される装置であり、例えばナビゲーション装置またはナビゲーション装置と他の装置との構成で実現される。経路案内装置１は、目的地に関する地名と、案内標識に表示されている地名との関連性を判定する。経路案内装置１は、目的地に関する地名と、案内標識に表示されている地名との関連性が低い場合に、車両の運転者などに対して目的地の地名と案内標識に表示されている地名との関連性を案内する。以下では、経路案内装置１は、車両に搭載されているものとして説明する。
【００１４】
図１に示すように、経路案内装置１は、撮像部１０と、記憶部２０と、ＧＰＳ（Global  Positioning  System）受信部３０と、ユーザインターフェース４０と、生体情報検出部５０と、音声出力部６０と、表示部７０と、制御部（経路案内制御装置）１００とを備える。
【００１５】
撮像部１０は、車両の周囲を撮影する。撮像部１０は、車両の前方（進行方向）を向くように配置されており、少なくとも車両の前方を撮影する。撮像部１０は、例えば、車両の前方に位置する交通案内標識などの案内標識を撮影する。撮像部１０は、撮影した撮影データを標識情報取得部１２２に出力する。
【００１６】
記憶部２０は、地図データ２１など種々のデータを記録する。地図データ２１には、道路上の存在する交通標識などの案内標識に関する情報を含む。記憶部２０は、例えば、制御部１００の各部を実現させるためのプログラムを記憶している。制御部１００は、記憶部２０に記憶されているプログラムを展開して実行することで、各部の機能を実現する。記憶部２０は、例えば、ＲＡＭ（Random  Access  Memory）、ＲＯＭ（Read  Only  Memory）、フラッシュメモリ（Flash  Memory）などの半導体メモリ素子、または、ハードディスク、ソリッドステートドライブ、光ディスクなどの記憶装置で実現することができる。記憶部２０は、複数の異なるメモリ等で構成されてもよい。地図データ２１は、図示しない通信部を介して、外部サーバなどから取得することとしてもよい。
【００１７】
ＧＰＳ受信部３０は、ＧＰＳ受信回路、ＧＰＳ受信アンテナなどから構成されており、ＧＰＳ信号を受信する。ＧＰＳ受信部３０は、受信したＧＰＳ信号を現在位置情報取得部１２０に出力する。
【００１８】
ユーザインターフェース４０は、経路案内装置１に対する種々の操作を受け付ける。種々の操作には、目的地を設定する操作などが含まれる。ユーザインターフェース４０は、受け付けた目的地を目的地設定部１２１に出力する。ユーザインターフェース４０は、例えば、物理的なスイッチや、表示部７０に設けられたタッチパネルで実現することができる。
【００１９】
生体情報検出部５０は、車両の搭乗者の生体情報を検出する。生体情報検出部５０は、例えば、車両を運転している際の運転者の生体情報を検出する。生体情報検出部５０は、例えば、案内標識情報を確認した際の運転者の生体情報を検出する。生体情報検出部５０は、検出した生体情報を生体情報取得部１２４に出力する。
【００２０】
本実施形態では、生体情報検出部５０は、例えば、運転者の視線の方向を検出する視線センサである。この場合、生体情報検出部５０は、運転者と向かい合って配置されている。生体情報検出部５０は、例えば、赤外光発光装置と赤外光カメラとを備え、運転者の顔に赤外光を照射して、赤外光カメラで撮影した撮影データを生体情報取得部１２４に出力する。また、生体情報検出部５０の他の例としては、運転者の顔を撮影する可視光カメラを備え、撮影した撮影データを生体情報取得部１２４に出力する。
【００２１】
本実施形態では、生体情報検出部５０は、視線センサであるものとして説明するが、これは例示であり、本発明を限定するものではない。生体情報検出部５０は、車中の音声を検出するマイクロフォン、脈拍を検出する脈拍センサ、体温を検出する体温センサ、呼吸数を検出する呼吸センサで構成されてもよい。
【００２２】
音声出力部６０は、車両の搭乗者に対して音声を出力する。音声出力部６０は、例えば、車両の搭乗者に対して、経路案内音声を出力する。音声出力部６０は、例えば、案内標識に記載されている地名と、目的地との関連性を音声で出力する。音声出力部６０は、例えば、車両の搭載されたオーディオ用のスピーカで構成される。
【００２３】
表示部７０は、種々の映像を表示する。表示部７０は、例えば、地図データ２１に基づいて、車両の周辺の地図を表示する。表示部７０は、例えば、現在位置から目的地までの経路情報を地図と共に表示する。表示部７０は、例えば、液晶ディスプレイ（ＬＣＤ：Liquid  Crystal  Display）または有機ＥＬ（Organic  Electro-Luminescence）ディスプレイなどを含むディスプレイである。
【００２４】
制御部１００は、現在位置情報取得部１２０と、目的地設定部１２１と、標識情報取得部１２２と、判断部１２３と、生体情報取得部１２４と、経路案内制御部１２５と、音声案内制御部１２６と、表示制御部１２７とを備える。制御部１００が備える各部は、バス１１０を介して互いに接続されている。制御部１００は、例えば、ＣＰＵ（Central  Processing  Unit）を含む電子的な回路で実現することができる。
【００２５】
現在位置情報取得部１２０は、ＧＰＳ受信部３０からＧＰＳ信号を受け付ける。現在位置情報取得部１２０は、ＧＰＳ信号に基づいて、車両の現在位置情報を算出する。現在位置情報取得部１２０は、現在位置情報を目的地設定部１２１と、標識情報取得部１２２と、経路案内制御部１２５とに出力する。
【００２６】
目的地設定部１２１は、ユーザによって設定された目的地に関する目的地情報をユーザインターフェース４０から受け付ける。目的地設定部１２１は、例えば、現在位置情報と、地図データ２１に基づいて、現在位置から目的地までの走行経路を設定する。目的地設定部１２１は、例えば、現在位置から目的地までの走行経路に関する情報を、標識情報取得部１２２と、経路案内制御部１２５とに出力する。
【００２７】
目的地設定部１２１は、設定された目的地と、目的地に関連する関連地名とを対応付けたテーブルを生成してもよい。関連地名とは、例えば、目的地の県、市、町、区などの地名である。関連地名は、目的地と同一の名称を少なくとも部分的に含む地名、建物名などでもよい。この場合、例えば、目的地が「幕張メッセ」である場合、関連地名は「幕張」となる。目的地設定部１２１は、生成したテーブルを記憶部２０に格納してもよいし、判断部１２３に出力してもよい。
【００２８】
標識情報取得部１２２は、車両の周囲の案内標識に記載された案内標識情報を取得する。標識情報取得部１２２は、少なくとも車両の進行方向における案内標識情報を取得する。標識情報取得部１２２は、例えば、撮像部１０が撮影した案内標識の撮影データに基づいて、案内標識情報を取得する。標識情報取得部１２２は、例えば、現在位置から目的地までの走行経路と、地図データ２１に基づいて、案内標識情報を取得する。標識情報取得部１２２は、取得した案内標識情報を判断部１２３に出力する。
【００２９】
図２と、図３とを用いて、標識情報取得部１２２が撮影データに基づいて案内標識情報を取得する方法の一例を説明する。図２と、図３とは、標識情報取得部１２２が撮影データに基づいて行先案内表紙情報を取得する方法の一例を説明するための模式図である。
【００３０】
図２には、撮像部１０が撮影した案内標識の撮影データ２００が示されている。標識情報取得部１２２は、撮影データ２００に対して、文字認識処理を実行する。文字認識処理は周知の方法を用いればよい。標識情報取得部１２２は、撮影データ２００に対して文字認識処理を実行することで、第一領域２１０から「奥戸（Okudo）」を検出し、第二領域２２０から「葛西（Kasai）」を検出する。すなわち、標識情報取得部１２２は、撮影データ２００から、案内標識として認識した範囲内の左側に記載されている文字および矢印の認識により、交差点の左方向が奥戸方向であることを認識する。同様に案内標識として認識した範囲内の右側に記載されている文字および矢印の認識により、交差点の右方向が葛西方向であることを認識する。
【００３１】
図３には、撮像部１０が撮影した案内標識の撮影データ２００Ａが示されている。標識情報取得部１２２は、撮影データ２００Ａに対して、文字認識処理に加えて画像認識処理を実行してもよい。画像認識処理は周知の方法を用いればよい。標識情報取得部１２２は、撮影データ２００Ａに対して文字認識処理と画像認識処理とを実行することで、第一領域２１０Ａの画像領域２１１Ａから飛行機の画像を検出し、文字領域２１２Ａから「羽田空港（Haneda  Airport）」を検出する。標識情報取得部１２２は、撮影データ２００Ａに対して画像認識処理と文字認識処理とを実行することで、第二領域２２０Ａから「蒲田（Kamata）」を検出する。すなわち、標識情報取得部１２２は、撮影データ２００Ａから、案内標識として認識した範囲内の左側に記載されている文字および矢印の認識により、交差点の左方向が羽田空港方向であることを認識する。同様に案内標識として認識した範囲内の右側に記載されている文字および矢印の認識により、右方向が蒲田方向であることを認識する。撮影データ２００Ａに対する画像認識処理は、一例であり、本発明を限定するものではない。例えば、標識情報取得部１２２は、撮影データに画像認識処理を実行することで、地図記号のアイコンや、特定の施設や場所を示すアイコンなどを認識する。
【００３２】
再び図１を参照する。判断部１２３は、目的地設定部１２１が設定した目的地の地名と、標識情報取得部１２２が取得した案内標識情報との地名との関連性を判断する。判断部１２３は、例えば、目的地に関する地名と、案内標識情報の地名とに一致部分が無い場合、関連性が低いと判断する。判断部１２３は、例えば、目的地と、目的地の関連地名とを対応付けたテーブルに基づいて、目的地に関する地名と、案内標識情報の地名との関連性を判断してもよい。また、判断部１２３は、例えば、目的地の地名と、予め設定された目的地までの案内経路上に存在する地名との関連性を判断してもよい。
【００３３】
図４を用いて、目的地と、目的地の関連地名とを対応付けたテーブルに基づいて、目的地に関する地名と、案内標識情報の地名との関連性を判断する方法の一例について説明する。図４は、目的地と、目的地の関連地名とを対応付けたテーブルの一例を示す模式図である。
【００３４】
図４には、目的地として幕張メッセが設定された場合の例を示している。図４に示すように、テーブル３００では、幕張メッセには関連地名として、「千葉」、「幕張」などが関連付けられている。幕張メッセには関連地名として、例えば、「美浜区」、「中瀬」などが関連付けられていてもよい。本実施形態では、目的地に関連付けられる、関連地名の数に特に制限はない。
【００３５】
ここで目的地として設定された幕張メッセと、図２に図示の撮影データ２００から取得された行先案内情報の地名との関連性を図４に図示のテーブル３００に基づいて判断する方法について説明する。
【００３６】
判断部１２３は、テーブル３００を参照し、撮影データ２００から取得された奥戸と、葛西とがテーブル３００に含まれているか否かを判断する。判断部１２３は、テーブル３００に関連付けられていない地名は関連性が低いと判断する。そのため、判断部１２３は、奥戸と、葛西とは幕張メッセとの関連性が低いと判断する。判断部１２３は、判断結果を経路案内制御部１２５に出力する。
【００３７】
次に目的地として羽田空港が設定され、図３に図示の撮影データ２００Ａから取得された行先案内情報との関連性を判断する方法について説明する。
【００３８】
判断部１２３は、文字に限らず、撮影データ２００Ａに含まれる画像と、目的地との関連性を判断してもよい。例えば、撮影データ２００Ａの画像領域２１１Ａには飛行機の画像が含まれている。この場合、判断部１２３は、羽田空港と、飛行機の画像とは関連性が高いと判断する。すなわち、判断部１２３は、目的地と関係のある画像が含まれている場合には、関連性が高いと判断する。目的地と関係のある画像とは、例えば、地図記号のアイコンや、目的地の施設や場所を示すアイコンの画像である。
【００３９】
生体情報取得部１２４は、車両の搭乗者の生体情報を生体情報検出部５０から取得する。生体情報取得部１２４は、車両の搭乗者が案内標識を視認した際の、車両の搭乗者の生体情報を取得する。生体情報取得部１２４は、取得した生体情報に基づいて、車両の搭乗者が案内標識の地名から目的地を想起しているか否かを判断する。
【００４０】
生体情報取得部１２４は、例えば、生体情報検出部５０から車両の運転者の視線の方向を取得する。生体情報取得部１２４は、取得した視線の方向に基づいて、特定の方向を注視していることを取得する。生体情報取得部１２４は、例えば、搭乗者が所定時間（例えば、２秒）以上、案内標識の方向の視線を向けていることを判断する。生体情報取得部１２４は、例えば、進行方向に案内標識があり、かつ視線の方向が進行方向の上方を向いている時に案内標識に視線を向けていると判断する。この場合、生体情報取得部１２４は、車両の搭乗者が案内標識の地名から目的地を想起できていないと判断する。生体情報取得部１２４は、車両の搭乗者が案内標識の地名から目的地を想起できているか否かの判断結果を経路案内制御部１２５に出力する。
【００４１】
生体情報取得部１２４は、車両の搭乗者が案内標識を視認した後、視線の方向以外の生体情報に基づいて、車両の搭乗者が案内標識の地名から目的地を想起できているか否かを判断してもよい。生体情報取得部１２４は、例えば、マイクロフォンで検出された音声、脈拍センサで検出された脈拍、体温センサで検出された体温、呼吸センサで検出された呼吸数に基づいて、目的地を想起できているか否かを判断してもよい。この場合、生体情報取得部１２４は、例えば、車両の搭乗者が案内標識を視認する前後の音声、脈拍、体温、呼吸数などの変化に基づいて、目的地を想起できているか否かを判断してもよい。
【００４２】
経路案内制御部１２５は、目的地設定部１２１で設定された現在位置から設定された目的地までの走行経路の案内を実行する。経路案内制御部１２５は、音声案内制御部１２６に制御信号を出力することで、音声出力部６０から音声を出力させて走行経路の案内を実行する。経路案内制御部１２５は、表示制御部１２７に制御信号を出力することで、表示部７０に地図や案内標識を表示させて走行経路の案内を実行する。
【００４３】
経路案内制御部１２５は、車両の現在位置が、車両の進行方向に存在する案内標識の近傍であり、判断部１２３から目的地に関する地名と、案内標識情報の地名との関連性が低いという判断結果を受けたとする。この場合、経路案内制御部１２５は、生体情報取得部１２４が車両の搭乗者の所定の生体情報を取得した場合に、案内標識の地名と目的地との関連性を案内する。関連性の案内とは、搭乗者が案内標識の地名と目的地との関連性を認識可能となる案内である。言い換えれば、関連性の案内とは、案内標識の地名と、目的地との地図上の位置関係または経路上の位置関係を説明する案内である。例えば、図２において、目的地として幕張メッセが設定されているとする。この場合、経路案内制御部１２５は、音声案内制御部１２６に制御信号を出力し、「幕張メッセは、葛西方面を経由して行けます」といった関連案内を音声出力部６０から出力する。
【００４４】
経路案内制御部１２５は、車両の現在位置が、車両の進行方向に存在する案内標識の近傍であることの判断を、標識情報取得部１２２が案内標識情報を認識した結果から判断する。例えば、標識情報取得部１２２が認識した案内標識が、撮影データ２００を構成する画像の上方に位置している場合は、認識している案内標識は、車両の進行方向に存在し、車両は案内標識の下方に位置していると判断できる。
【００４５】
経路案内制御部１２５は、判断部１２３から目的地に関する地名と、予め設定された目的地までの案内経路上に存在する地名との関連性が低いという判断結果を受けたとする。この場合、経路案内制御部１２５は、案内経路上に存在する地名と、目的地との関連性を案内する。
【００４６】
経路案内制御部１２５は、例えば、生体情報取得部１２４が車両の搭乗者の視線が案内標識を向いていることを取得した場合に、案内標識の地名と目的地との関連性を案内する。例えば、経路案内制御部１２５は、目的地として幕張メッセが設定されている状態で、図２に図示の撮影データ２００に対応する案内標識を車両の搭乗者が例えば２秒間注視していることを取得したとする。この場合、経路案内制御部１２５は、音声案内制御部１２６に制御信号を出力し、「幕張メッセは、葛西方面を経由して行けます」といった関連案内を音声出力部６０から出力する。
【００４７】
音声案内制御部１２６は、経路案内制御部１２５からの制御信号に従って、音声を出力させるための音声信号を音声出力部６０に出力する。音声案内制御部１２６は、例えば、現在位置から目的地までの経路案内を出力させるための制御信号を音声出力部６０に出力する。音声案内制御部１２６は、例えば、案内標識に対する関連案内を出力させるための制御信号を音声出力部６０に出力する。
【００４８】
表示制御部１２７は、経路案内制御部１２５からの制御信号に従って、映像を表示させるための制御信号を表示部７０に出力する。表示制御部１２７は、地図データ２１と、現在位置情報取得部１２０が取得した現在位置とに基づいて、各種の映像を表示させるための制御信号を表示部７０に出力する。表示制御部１２７は、例えば、車両周辺の地図を表示させるための制御信号を表示部７０に出力する。表示制御部１２７は、例えば、車両の進行方向に存在する案内標識を表示させるための制御信号を表示部７０に出力する。
【００４９】
図５を用いて、第一実施形態に係る制御部１００の処理について説明する。図５は、第一実施形態に係る制御部１００の処理の流れの一例を示すフローチャートである。
【００５０】
まず、制御部１００は、車両の進行方向に案内標識が有るか否かを判定する（ステップＳ１０１）。
【００５１】
進行方向に案内標識がある場合（ステップＳ１０１のＹｅｓ）、制御部１００は、ステップＳ１０２に進む。進行方向に案内標識がない場合（ステップＳ１０１のＮｏ）、制御部１００は、ステップＳ１０６に進む。
【００５２】
ステップＳ１０２では、制御部１００は、案内標識に記載された地名と、目的地の地名との関連性が低いか否かを判定する（ステップＳ１０２）。
【００５３】
案内標識に記載された地名と、目的地の地名との関連性が低い場合（ステップＳ１０２のＹｅｓ）、制御部１００は、ステップＳ１０３に進む。案内標識に記載された地名と、目的地の地名との関連性が低くない場合（ステップＳ１０２のＮｏ）、制御部１００は、ステップＳ１０６に進む。
【００５４】
ステップＳ１０３では、制御部１００は、車両の搭乗者は目的地の方向を想起しているか否かを判定する（ステップＳ１０３）。
【００５５】
車両の搭乗者が目的地の方向を想起していない場合（ステップＳ１０３のＮｏ）、制御部１００は、ステップＳ１０４に進む。車両の搭乗者が目的の方向を想起している場合（ステップＳ１０３のＹｅｓ）、ステップＳ１０６に進む。
【００５６】
ステップＳ１０４では、制御部１００は、案内標識に記載されている地名と、目的地の地名との関連性を案内する（ステップＳ１０４）。そして、制御部１００は、ステップＳ１０５に進む。
【００５７】
ステップＳ１０５では、制御部１００は、経路案内が終了したか否かを判定する（ステップＳ１０５）。
【００５８】
経路案内が終了した場合（ステップＳ１０５のＹｅｓ）、制御部１００は、図５の処理を終了する。経路案内が終了していない場合（ステップＳ１０５のＮｏ）、制御部１００は、ステップＳ１０１に進む。
【００５９】
また、ステップＳ１０６では、制御部１００は、案内標識に記載されている地名と、目的地の地名との関連性は案内しないで、通常の経路案内を実行する（ステップＳ１０６）。そして、制御部１００は、ステップＳ１０５に進む。
【００６０】
上述のとおり、第一実施形態では、車両の搭乗者が案内標識に記載されている地名から目的地の方向を認識していない場合に、案内標識に記載されている地名と、目的地の地名との関連性を案内することができる。その結果、車両の搭乗者は、目的地の方向を適切に認識することができるようになる。
【００６１】
［第二実施形態］
図６を用いて、第二実施形態に係る制御部の処理について説明する。図６は、第二実施系形態に係る制御部の処理の流れの一例を示すフローチャートである。
【００６２】
第一実施形態では、車両の搭乗者が道路上の案内標識に記載された地名を視認した際の車両の搭乗者の生体情報に基づいて、関連音声案内を実行するか否かを判定していた。第二実施形態では、車両の搭乗者が表示部に表示された案内標識を視認した際の車両の搭乗者の生体情報に基づいて、関連音声案内を実行するか否かを判定する。
【００６３】
まず、制御部１００は、表示部７０に案内標識が表示されているか否かを判定する（ステップＳ２０１）。
【００６４】
表示部７０に案内標識が表示されている場合（ステップＳ２０１のＹｅｓ）、制御部１００は、ステップＳ２０２に進む。表示部７０に案内標識が表示されていない場合（ステップＳ２０１のＮｏ）、制御部１００は、ステップＳ２０６に進む。
【００６５】
ステップＳ２０２からステップＳ２０６は、図５に図示のステップＳ１０２からステップＳ１０６と同一なので説明は省略する。
【００６６】
上述のとおり、第二実施形態では、車両の搭乗者が表示部に表示された案内標識に記載されている地名から目的地の方向を認識していない場合に、案内標識に記載されている地名と、目的地の地名との関連性を案内することができる。その結果、車両の搭乗者は、目的地の方向を適切に認識することができるようになる。
【００６７】
［第二実施形態の変形例］
図７を用いて、第二実施形態の変形例に係る制御部１００の処理について説明する。図７は、第二実施形態の変形例に係る制御部１００の処理の流れの一例を示すフローチャートである。
【００６８】
第二実施形態では、表示部７０に案内標識を表示させる。第二実施形態の変形例では、車両の搭乗者が表示部７０に表示されている案内標識の地名から目的地を想起していないと判定した場合に、表示部７０に表示されている案内標識において目的地の方向に目的地の地名を重ねて表示する。
【００６９】
まず、制御部１００は、表示部７０に案内標識が表示されているか否かを判定する（ステップＳ３０１）。
【００７０】
表示部７０に案内標識が表示されている場合（ステップＳ３０１のＹｅｓ）、制御部１００は、ステップＳ３０２に進む。表示部７０に案内標識が表示されていない場合（ステップＳ３０１のＮｏ）、制御部１００は、ステップＳ３０５に進む。
【００７１】
ステップＳ３０２では、制御部１００は、車両の搭乗者が案内標識の地名から目的地の方向を想起しているか否かを判定する（ステップＳ３０２）。
【００７２】
車両の搭乗者が目的地の方向を想起していない場合（ステップＳ３０２のＮｏ）、制御部１００は、ステップＳ３０３に進む。車両の搭乗者が目的地の方向を想起している場合（ステップＳ３０２のＹｅｓ）、制御部１００は、ステップＳ３０５に進む。
【００７３】
ステップＳ３０３では、制御部１００は、表示部７０に表示された案内標識において、目的地の方向に目的地の名称を重ねて表示する（ステップＳ３０３）。そして、制御部１００は、ステップＳ３０４に進む。
【００７４】
ステップＳ３０４と、ステップＳ３０５とは、それぞれ、図５に図示のステップＳ１０５と、ステップＳ１０６と同一なので説明は省略する。
【００７５】
上述のとおり、第二実施形態の変形例では、車両の搭乗者が案内標識に記載されている地名から目的地の方向を想起していない場合に、表示されている案内標識において、目的地の方向に目的地の名称を重ねて表示することができる。その結果、車両の搭乗者は、目的地の方向をより適切に認識することができるようになる。
【００７６】
［第三実施形態］
図８を用いて、第三実施形態に係る制御部の処理について説明する。図８は、第三実施系形態に係る制御部の処理の流れの一例を示すフローチャートである。
【００７７】
第一実施形態及び第二実施形態では、車両の搭乗者が案内標識に記載されている地名から目的地の方向を想起できていない場合に、案内標識に記載されている地名と、目的地の地名との関連性を案内する。第三実施形態では、車両の搭乗者が目的地とは異なる方向の案内標識に記載されている地名に反応した場合に、適切な方向に案内することができる。
【００７８】
まず、制御部１００は、車両の進行方向に案内標識が有るか否かを判定する（ステップＳ４０１）。
【００７９】
進行方向に案内標識がある場合（ステップＳ４０１のＹｅｓ）、制御部１００は、ステップＳ４０２に進む。進行方向に案内標識がない場合（ステップＳ４０１のＮｏ）、制御部１００は、ステップＳ４０６に進む。
【００８０】
ステップＳ４０２では、制御部１００は、車両の搭乗者が案内標識に記載の地名に反応したか否かを判定する（ステップＳ４０２）。制御部１００は、例えば、生体情報取得部１２４によって、案内標識に記載の地名を視認したか否かを判定する。制御部１００は、例えば、生体情報取得部１２４によって、案内標識に記載の地名を発声したか否かを判定する。
【００８１】
車両の搭乗者が案内標識に記載の地名に反応した場合（ステップＳ４０２のＹｅｓ）、制御部１００は、ステップＳ４０３に進む。車両の搭乗者が案内標識に記載の地名に反応しない場合（ステップＳ４０２のＮｏ）、制御部１００は、ステップＳ４０６に進む。
【００８２】
ステップＳ４０３では、制御部１００は、車両の搭乗者が反応した地名は目的地の方向であるか否かを判定する（ステップＳ４０３）。制御部１００は、例えば、生体情報取得部１２４によって、車両の搭乗者が案内標識において目的地の方向の地名を視認したか否かを判定する。制御部１００は、例えば、生体情報取得部１２４によって、車両の搭乗者が案内標識に記載されている地名のうち、目的地方向の地名を発声したか否かを判定する。生体情報取得部１２４は、車両の搭乗者が反応した地名の判定結果を、経路案内制御部１２５に出力する。
【００８３】
車両の搭乗者が反応した地名が目的地の方向でない場合（ステップＳ４０３のＮｏ）、制御部１００は、ステップＳ４０４に進む。車両の搭乗者が反応した地名が目的地の方向である場合（ステップＳ４０３のＹｅｓ）、制御部１００は、ステップＳ４０６に進む。
【００８４】
ステップＳ４０４では、制御部１００は、車両の搭乗者に対して目的地の方向を案内する（ステップＳ４０４）。例えば、目的地として幕張メッセが設定された状態で、図２に図示の撮影データ２００に対応する案内標識において、車両の搭乗者が「奥戸」を視認したとする。この場合、制御部１００は、音声出力部６０から「幕張メッセは、奥戸方面ではありません」又は「幕張メッセは、葛西方面です」といった目的地方面を示す音声案内を実行する。具体的には、制御部１００において、経路案内制御部１２５は、生体情報取得部１２４から受けた車両の搭乗者が反応した地名の判定結果に基づいて、目的地方面の地名を案内させるための制御信号を音声案内制御部１２６に出力する。
【００８５】
ステップＳ４０５と、ステップＳ４０６とは、それぞれ、図５に図示のステップＳ１０５と、ステップＳ１０６と同一なので説明は省略する。
【００８６】
上述のとおり、第三実施形態では、案内標識に記載されている地名に対する搭乗者の反応に応じた経路案内を実行することができる。その結果、車両の搭乗者は、目的地の方向をより適切に認識することができるようになる。
【００８７】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００８８】
１  経路案内装置
１０  撮像部
２０  記憶部
２１  地図データ
３０  ＧＰＳ受信部
４０  ユーザインターフェース
５０  生体情報検出部
６０  音声出力部
７０  表示部
１００  制御部（経路案内制御装置）
１１０  バス
１２０  現在位置情報取得部
１２１  目的地設定部
１２２  標識情報取得部
１２３  判断部
１２４  生体情報取得部
１２５  経路案内制御部
１２６  音声案内制御部
１２７  表示制御部
２００，２００Ａ  撮影データ
２１０，２１０Ａ  第一領域
２１１Ａ  画像領域
２１２Ａ  文字領域
２２０，２２０Ａ  第二領域
３００  テーブル
【図１】
2020118473.tif 000003
【図２】
2020118473.tif 000004
【図３】
2020118473.tif 000005
【図４】
2020118473.tif 000006
【図５】
2020118473.tif 000007
【図６】
2020118473.tif 000008
【図７】
2020118473.tif 000009
【図８】
2020118473.tif 000010